(57)【要約】      （修正有）【課題】球払出装置の部品、特に、電磁ソレノイド部の長寿命化を図ることができる遊技機を提供する。【解決手段】支柱に可動板９を回動自在に支持する軸受部５ｂを対向して設け、ベースの背面側の側壁下部中央部にバネを係止するリブをベースの底面に沿って外方向に突設し、可動板９の後端部両端にベースの軸受部５ｂに回動自在に支持され、可動板９の回動支点となるピン１１を可動板９に固定した状態で挿通支持する受部を立設し、可動板９の後端部末端にバネを係止するリブを形成し、受部に固定したピン１１の両端をベースの軸受部５ｂに回動自在に支持し、バネをベースの背面外側或いは内側に配置してリブに係止する。可動板９の打撃力を阻止するストッパーを配設する。【選択図】図１
2014144176.tif 000002
【特許請求の範囲】
【請求項１】
ケース内に配設され、球払出信号に基づいて入路側から排出路側へと球が通過する球通路と、
この球通路を通過する球を、一球ずつ送り出し可能に前記ケースに回転自在に支持された球送り体と、
前記球通路を通過する球を検出する手段を有し、この検出する手段からの検出信号に基づいて出力され、前記ケース外に配設された制御ユニットからの信号を送受する手段と、
前記制御ユニットからの前記球払出信号に基づいて、消磁状態・励磁状態を制御され、ボビンに導電線を巻回したコイル部と、消磁状態・励磁状態に従って前記球送り体を回転停止状態・回転可能な解放状態に切り換え動作を行う可動板と、前記コイル部が消磁状態の時、前記球送り体が回転停止状態となるように、前記可動板を付勢するバネとを有し、ベースに配設してなる電磁ソレノイド部と
を備えた球払出装置において、
前記ベースの切欠部を構成する支柱に、前記可動板を回動自在に支持するための軸受部を互いに対向して設けるとともに、前記ベースの背面側の側壁下部中央部に、前記バネの一端を係止するリブを、前記ベースの底面に沿ってこのベースの外方向に突設し、
前記可動板の後端部両端に、前記ベースの前記軸受部に回動自在に支持され、前記可動板の回動支点となるピンを、前記可動板に固定した状態で挿通支持する受部を立設するとともに、前記可動板の後端部末端に、前記バネの他端を係止するリブを形成し、
前記可動板の受部に固定した状態で挿通支持されたピンの両端を、前記ベースの軸受部に回動自在に支持し、
前記バネは、前記ベースの背面外側において、前記ベースのリブと前記可動板のリブとに係止したこと
を特徴とする球払出装置。
【請求項２】
前記バネは、前記ベースの背面外側に配設する代わりに、前記ベースの背面内側と前記電磁ソレノイド部の前記コイル部との間隙に配設し、前記ベースの背面側の側壁内壁面に、バネの一端を係止するためのリブを、前記ベースの底面に沿ってこのベースの内方向に突設したこと
を特徴とする請求項１に記載の球払出装置。
【請求項３】
前記ケース２内に、前記ボビンの軸方向の高さより高くなる位置に突起物を形成し、前記可動板の先端部に、前記突起物に当接する係合部を形成したこと
を特徴とする請求項１〜請求項２の何れかに記載の球払出装置。
【請求項４】
表面が円滑な特殊ナイロンで形成したワッシャを、前記可動板の受部と前記ベースの軸受部との間に配設したこと
を特徴とする請求項１〜請求項３の何れかに記載の球払出装置。
【発明の詳細な説明】
【技術分野】
【０００１】
この発明は球払出装置に関し、特に、パチンコ球等の遊技用の賞球や貸球を使用する遊技機において、賞球（以下、単に球と記す。）あるいは貸球（以下、単に球と記す。）の払出しを行う球払出装置に関するものである。
【背景技術】
【０００２】
従来、パチンコ機等のような遊技機において、球払出装置１００は、図１２に示すように、遊技中に成立した入賞（例えば図柄の組合せによる得点等）に対して行われる所定数の球（賞球）の払出しや、球の貸出しの際に行われる所定数の球（貸球）の払出しに使用されている。球払出装置１００は、球の払出しの際に、球が通過する球通路１４２内を通過する球を停止拘束し、又は停止拘束からの解放を行うことにより所定数の球の払出しの制御を行っている。
【０００３】
さらに詳細に説明すると、図１２は、従来の球払出装置１００を示すもので、ケース体に、球送り体１６７の回転・停止規制をなす規制部材１６８の切換作動源である電磁ソレノイド部１２８が配設されている。この規制部材１６８は、電磁ソレノイド部１２８のコイル部１７０の消磁状態において、引っ張りバネ１７１の付勢力により、球送り体１６７の回転を停止する停止位置に保持され、電磁ソレノイド部１２８のコイル部１７０の通電励磁状態において、球送り体１６７の回転を許容する解放位置に保持される。なお、球送り体１６７は、ケースから立設されている取付ボス１７３に回転自在に支持されている。１８１は操作部材である。
【０００４】
電磁ソレノイド部１２８についてさらに詳細に説明すると、図１３（ａ）〜（ｃ）は、従来から用いられている電磁ソレノイド部１２８を示す平面図、側面図、正面図で、平板状のベース１６９は、肉厚の金属板を断面略コ字状に屈曲して形成されており、その開放端が球送り体１６７に対向する状態となるように球払出装置１００のケース内に配置されている。ベース１６９の背面上端部には、規制部材１６８の後端部１６８ａが突出するコ字状の切欠部１６９ａを構成する支柱１６９ｃが形成されており、背面下端部中央には、引っ張りバネ１７１の一端を係止するリブ１６９ｂが背面から突設されている。
【０００５】
又、規制部材１６８の後端部１６８ａには、ベース１６９の切欠部１６９ａの両縁部と係合する略コ字状の凹溝１６８ｂ、１６８ｂが、互いに開口端を対向して形成されているとともに、後端部１６８ａの先端には、引っ張りバネ１７１の他端１７１ｂを係止するリブ１６８ｃが、ベース１６９のリブ１６９ｂに対向する位置に規制部材１６８の後端部底面に沿って突設されている。
【０００６】
従って、規制部材１６８の凹溝１６８ｂは、ベース１６９の切欠部１６９ａの両縁部内壁と係合している。又、引っ張りバネ１７１は、その一端１７１ａがベース１６９のリブ１６９ｂに係止され、他端１７１ｂは規制部材１６８のリブ１６８ｃに係止されて、規制部材１６８をボビン１７０ａの上面から離間する方向に付勢している。１７０は電磁ソレノイド部１２８のコイル部で、ボビン１７０ａに導電性の素線が巻回されている。
【０００７】
即ち、規制部材１６８の凹溝１６８ｂ、１６８ｂには、ベース１６９の切欠部１６９ｂ構成する支柱１６９ｃ、１６９ｃが嵌入し、切欠部１６９ａの底面で規制部材１６８は、嵌入を停止し、規制部材１６８の後端部１６８ａは、引っ張りバネ１７１によりボビン１７０ａの上面から離間する方向に付勢されている。従って、規制部材１６８は、凹溝１６８ｂとベース１６９の切欠部１６９ａの底面との係合箇所が、回動支点となっている。
【０００８】
図１３（ａ）〜（ｃ）に示すように、電磁ソレノイド部１２８は、球送り体１６７の回転・停止制御を行うもので、主として導電線をボビン１７０ａに巻回したコイル部１７０、ベース１６９、規制部材１６８、引っ張りバネ１７１等により構成されている。コイル部１７０のボビン１７０ａは、コイル部１７０の底板を介してベース１６９に、かしめ等の手段により、固定されている。
【０００９】
このように構成されているので、図１２に示すように、球払出装置１００は、上下に連通する球通路１４２を有するケース体の内部に、外周に多数個の球受部１６７ａをピッチで形成配置した爪車状の球送り体１６７が、その球受部１６７ａを球通路１４２に臨ませた状態で回転可能に配設されている。
【００１０】
ケース体の外部に配設されている制御ユニット（図示せず）からの球払出信号に基づいて通電作動されるコイル部１７０に、規制部材１６８が傾動可能に支持されて、規制部材１６８が球送り体１６７の球受部１６７ａに係合・離脱して、この球送り体１６７を拘束・解放するように構成されている。すなわち、コイル部１７０が無通電状態（消磁状態）では球送り体１６７が規制部材１６８により停止拘束される。
【００１１】
外部の制御ユニットからの球払出し信号により、コイル部１７０が通電状態（励磁状態）になると、球送り体１６７は、規制部材１６８による拘束から解放されて回転可能となる。これにより、球送り体１６７が球通路１４２内の球を球受部１６７ａに受けながら所定角度に亘り回転されて、予め設定された個数の球を払出すように構成されている。
【先行技術文献】
【特許文献】
【００１２】
【特許文献１】特開２００２−８５７５１号公報
【発明の開示】
【発明が解決しようとする課題】
【００１３】
近年、遊技機の遊技内容を他の内容やテーマに変更した新しい遊技機が、短いスパンで各社から次々と製品化されており、それに伴い、新しい遊技機への置き換えが頻繁に行われている。このため、費用の面から古い遊技機全体を交換するのではなく、可能なかぎり古い遊技機に使用されている部品をリユース（再使用）したいとの要望がある。そのため、可能な限り、遊技機に使用されている各部品の長寿命化を図る必要が生じていた。
【００１４】
そこで、球払出装置１００の長寿命化を図る際に問題となる部品は、電磁ソレノイド部１２８である。図１３（ａ）〜（ｃ）に示すように、従来の電磁ソレノイド部１２８の規制部材１６８は、その凹溝１６８ｂ、１６８ｂとベース１６９の切欠部１６９ａを構成する支柱１６９ｃ、１６９ｃの両内壁面とが係合している。即ち、凹溝１６８ｂ、１６８ｂ内にベース１６９の切欠部１６９ａを構成する支柱１６９ｃの両内壁面が嵌入した状態となっており、この凹溝１６８ｂ、１６８ｂと支柱１６９ｃ、１６９ｃの両内壁面との係合箇所を支点として摺動自在に回動動作を行っている。
【００１５】
このように、上記係合箇所では、互いにエッジ状の金属同士が摺動動作するため、両者の摩耗により金属粉が発生する。この金属粉は、電磁ソレノイド部１２８の応答時間を悪化させる原因となっていた。そのため、応答時間が悪化すると、もはや球払出装置１００を、部品として再利用することは出来ないという問題があった。
【００１６】
又、コイル部１７０が励磁されたときに、規制部材１６８はコイル部１７０側に吸着されるが、その際の衝撃がボビンに加わることにより、ボビン１７０ａが振動し、コイル部１７０の素線が断線するという問題もあった。
【課題を解決するための手段】
【００１７】
請求項１に係る発明は、ケース内に配設され、球払出信号に基づいて入路側から排出路側へと球が通過する球通路と、この球通路を通過する球を、一球ずつ送り出し可能にケースに回転自在に支持された球送り体と、球通路を通過する球を検出する手段を有し、この検出する手段からの検出信号に基づいて出力され、ケース外に配設された制御ユニットからの信号を送受する手段と、制御ユニットからの球払出信号に基づいて、消磁状態・励磁状態を制御され、ボビンに導電線を巻回したコイル部と、消磁状態・励磁状態に従って球送り体を回転停止状態・回転可能な解放状態に切り換え動作を行う可動板と、コイル部が消磁状態の時、球送り体が回転停止状態となるように、可動板を付勢するバネとを有し、ベースに配設してなる電磁ソレノイド部とを備えた球払出装置において、ベースの切欠部を構成する支柱に、可動板を回動自在に支持するための軸受部を互いに対向して設けるとともに、ベースの背面側の側壁下部中央部に、バネの一端を係止するリブを、ベースの底面に沿ってこのベースの外方向に突設し、可動板の後端部両端に、ベースの軸受部に回動自在に支持され、可動板の回動支点となるピンを、可動板に固定した状態で挿通支持する受部を立設するとともに、可動板の後端部末端に、バネの他端を係止するリブを形成し、可動板の受部に固定した状態で挿通支持されたピンの両端を、ベースの軸受部に回動自在に支持し、バネは、ベースの背面外側において、ベースのリブと可動板のリブとに係止したものである。
【００１８】
請求項２に係る発明は、請求項１に係る発明において、バネは、ベースの背面外側に配設する代わりに、ベースの背面内側と電磁ソレノイド部のコイル部との間隙に配設し、ベースの背面側の側壁内壁面に、バネの一端を係止するためのリブを、ベースの底面に沿ってこのベースの内方向に突設したものである。
【００１９】
請求項３に係る発明は、請求項１〜請求項２の何れかに係る発明において、ケース２内に、ボビンの軸方向の高さより高くなる位置に突起物を形成し、可動板の先端部に、突起物に当接する係合部を形成したものである。
【００２０】
請求項４に係る発明は、請求項１〜請求項３の何れかに係る発明において、表面が円滑な特殊ナイロンで形成したワッシャを、可動板の受部とベースの軸受部との間に配設したものである。
【発明の効果】
【００２１】
請求項１に係る発明は、上記のように構成したので、ベース５の軸受部５ｂ、５ｂと可動板９の受部９ｂ、９ｂとは、非常に円滑に回動動作することが出来、従来のような金属同士の摩擦により生じる金属粉の発生は少なく、従来のものに比較して、電磁ソレノイド部３の耐用年数を飛躍的に長期化することが出来る。従って、球払出装置１の長寿命化を達成することが出来る。
【００２２】
請求項２に係る発明は、上記のように構成したので、請求項１に係る発明と同様な効果がある。その上、実施例１のものに比較して、電磁ソレノイド部４３を小型化することが出来るので、球払出装置１のスペース効率が良くなる。さらに、バネ５０が電磁ソレノイド部４３のベース４５内に配置されているので、球払出装置１を組み立てる際、従来、両端が係止されているリブ１６８ｃ、１６９ａからはずれやすかったバネに配慮する必要がないので、実施例１のものに比べて、組み立て作業が非常に容易であり、作業効率が良くなる。
【００２３】
請求項３に係る発明は、上記のように構成したので、請求項１及び請求項２に係る発明と同様の効果がある。その上、従来のように、可動板９の打撃により、ボビン８に振動が加わり、コイル部の導電性の素線が断線することもなく、実施例１及び実施例２のものより、本願の球払出装置１の耐用年数をさらに長期化することが出来る。又、可動板の先端部に係合部を形成するだけで良く、一方、この係合部が打撃するストッパーとしては、ケース内に配設されている突起物を利用しているので、大きく丈夫なものを利用出来、破損等による不具合をなくすことができる。
【００２４】
請求項４に係る発明は、上記のように構成したので、請求項１〜請求項３に係る発明と同様な効果がある。その上、ベースの軸受部と可動板の受部の両金属同士が全く接触することがなく、従来のように金属粉が発生することもない、従って、従来のものに比べて、電磁ソレノイド部３の耐用年数を飛躍的に長期化することが出来るので、球払出装置をさらに長寿命化することが出来る。
【図面の簡単な説明】
【００２５】
【図１】この発明の第１の実施例を示すもので、（ａ）は本願の球払出装置の無通電時における内部構造を示す要部断面図、（ｂ）は通電時における内部構造を示す要部断面図である。
【図２】この発明の第１の実施例を示すもので、（ａ）は本願の球払出装置の電磁ソレノイドを配設するベースの平面図、（ｂ）は側面図、（ｃ）は背面図である。
【図３】この発明の第１の実施例を示すもので、（ａ）は本願の球払出装置の電磁ソレノイドの可動板の平面図、（ｂ）は側面図、（ｃ）は背面図である。
【図４】この発明の第１の実施例を示すもので、（ａ）は本願の球払出装置の電磁ソレノイド部の平面図、（ｂ）は側面図、（ｃ）は正面図である。
【図５】この発明の第１の実施例を示すもので、本願の球払出装置の電磁ソレノイド部の組み立て状態を説明するための模式図である。
【図６】この発明の第２の実施例を示すもので、（ａ）本願の球払出装置の無通電時における内部構造を示す要部断面図、（ｂ）は通電時における内部構造を示す要部断面図である。
【図７】この発明の第２の実施例を示すもので、（ａ）は本願の球払出装置の電磁ソレノイドを配設するベースの平面図、（ｂ）は側面図、（ｃ）は正面図である。を示すもので、本願の球払出装置の電磁ソレノイドを配設するベースの正面図である。
【図８】この発明の第３の実施例を示すもので、本願の球払出装置の通電時における内部構造を示す要部断面図である。
【図９】この発明の第４の実施例を示すもので、（ａ）は本願の球払出装置の電磁ソレノイド部の平面図、（ｂ）は側面図、（ｃ）は正面図、（ｄ）は、第４の実施例の変形例を示す平面図、（ｅ）は第４の実施例のその他の変形例を示す側面図である。
【図１０】この発明の第４の実施例を示すもので、本願の球払出装置の通電時における内部構造を示す要部断面図である。
【図１１】この発明の効果を示すもので、従来の電磁ソレノイドユニットと本願の球払出装置の電磁ソレノイド部の動作回数と応答速度との関係を比較測定した結果を示している。
【図１２】従来例を示すもので、球払出装置１００の内部構造を示す要部断面図である。
【図１３】従来例を示すもので、（ａ）は電磁ソレノイド部１２８を示す平面図、（ｂ）は側面図、（ｃ）は正面図である。
【発明を実施するための形態】
【００２６】
ケース内に配設され、球払出信号に基づいて入路側から排出路側へと球が通過する球通路と、この球通路を通過する球を、一球ずつ送り出し可能にケースに回転自在に支持された球送り体と、球通路を通過する球を検出する手段を有し、この検出する手段からの検出信号に基づいて出力され、ケース外に配設された制御ユニットからの信号を送受する手段と、制御ユニットからの球払出信号に基づいて、消磁状態・励磁状態を制御され、ボビンに導電線を巻回したコイル部と、消磁状態・励磁状態に従って球送り体を回転停止状態・回転可能な解放状態に切り換え動作を行う可動板と、コイル部が消磁状態の時、球送り体が回転停止状態となるように、可動板を付勢するバネとを有し、ベースに配設してなる電磁ソレノイド部とを備えた球払出装置において、ベースの切欠部を構成する支柱に、可動板を回動自在に支持するための軸受部を互いに対向して設けるとともに、ベースの背面側の側壁下部中央部に、バネの一端を係止するリブを、ベースの底面に沿ってこのベースの外方向に突設する。
【００２７】
さらに、可動板の後端部両端に、ベースの軸受部に回動自在に支持され、可動板の回動支点となるピンを、可動板に固定した状態で挿通支持する受部を立設するとともに、可動板の後端部末端に、バネの他端を係止するリブを形成し、可動板の受部に固定した状態で挿通支持されたピンの両端を、ベースの軸受部に回動自在に支持し、バネは、ベースの背面外側において、ベースのリブと可動板のリブとに係止する。
【実施例１】
【００２８】
この発明の第１の実施例を、図１〜図５に基づいて詳細に説明する。
図１〜図５は、この発明の第１の実施例を示すもので、図１（ａ）〜（ｂ）は、球払出装置１の電磁ソレノイド部３のコイル部４の無通電時（消磁状態）及び通電時（励磁状態）における内部構造を示す要部断面図、図２（ａ）〜（ｃ）は、球払出装置１の電磁ソレノイド部３のベース５の平面図、側面図、背面図である。図３（ａ）〜（ｃ）は、球払出装置１の電磁ソレノイド部３の可動板９の平面図、側面図、背面図である。
【００２９】
図４（ａ）〜（ｃ）は、球払出装置１の電磁ソレノイド部３の平面図、側面図、正面図である。図５は、球払出装置１の電磁ソレノイド部３の組み立て状態を説明するための模式図である。
【００３０】
図１（ａ）〜（ｂ）に示すように、球払出装置１のケース２の内部には、電磁ソレノイド部３、球通路１８、取付ボス６、球送り体７等がそれぞれ所定位置に配置されている。
取付ボス６は、その上面に球送り体７を回転自在に支持するもので、切欠面６ａを形成した略円筒状の形状であって、その直径は球送り体７の長径（後述する区画爪部７ａ，７ａにより構成される円の直径）と略同一であり、ケース２の壁面から球通路１８に臨ませて立設されている。
【００３１】
取付ボス６の上面には、爪車状の球送り体７が回転自在に支持されている。球送り体７の外周には、複数の区画爪部７ａ、７ａ・・・が形成されており（この実施例の場合には６箇所）、この区画爪部７ａ、７ａ・・・により区画された球受部７ｂ、７ｂ・・・に、球通路１８内を通過する球１７を１個ずつ球圧を受けながら回転して排出するように構成されている。
【００３２】
図２（ａ）〜（ｃ）に示すように、電磁ソレノイド部３のベース５は、肉厚の金属板を略コ字状（実施例１の場合）あるいは略Ｌ字状に屈曲して形成されており、その開放端が球送り体７に対向する状態となるようにケース２内に配置されており、背面側の側壁の上部両端には、コ字状の第１の切欠部５ｃを構成する支柱５ａ、５ａが形成されている。この支柱５ａ、５ａには、可動板９を回動自在に支持するための軸受部５ｂ、５ｂが、互いに対向して形成されている。
【００３３】
可動板９の後端部９ａは、切欠部５ｃから突出している。又、ベース５の背面側の側壁の下部中央部には、ロ字状の第２の切欠部５ｆが形成されており、この切欠部５ｆの下面、即ち、ベース５の底面からバネ１０の一端を係止するためのリブ５ｅが、ベース５の底面に沿って背面から外方向に突設されている。５ｄはベース５の底面に設けた穴で、コイル部４をベース５にかしめ固定するためのものである。
【００３４】
図３（ａ）〜（ｃ）に示すように、電磁ソレノイド部３の可動板９は、先端部の幅が広く、後端部の幅が狭くなっている２段幅の平板で、後端部９ａ両端には、略Ｕ字状の受部９ｂ、９ｂが互いに対向して立設されており、この受部９ｂ、９ｂはベース５の軸受部５ｂ、５ｂに対向配置される。
【００３５】
可動板９の受部９ｂ、９ｂには、ピン１１がその両端部１１ａ、１１ａを受部９ｂ、９ｂから突出した状態で挿通支持されている。ピン１１は、第１のワッシャ１４やプッシュナット１５等により、ずれないように受部９ｂ、９ｂに固定されている。又、受け部９ｂ、９ｂから突出しているピン１１の両端は、ベース５の軸受部５ｂ、５ｂに回動自在に支持されている。従って、可動板９の受部９ｂ、９ｂに固定されているピン１１の両端が、ベース５の軸受部５ｂ、５ｂに支持され、ピン１１を回動支点として可動板９は回動動作を行うように構成されている。
【００３６】
可動板９の後端部末端には、バネ１０の他端を係止するリブ９ｃがベース５のリブ５ｅと互いに対向する位置となるように形成されている。従って、バネ１０は引っ張りバネで、その一端はベース５のリブ５ｅに係止され、他端は可動板９のリブ９ｃに係止されて、可動板９をボビン８の上面から離間する方向に付勢されている。
【００３７】
図４（ａ）〜（ｃ）に示すように、電磁ソレノイド部３は、球送り体７の回転・停止制御を行うもので、主としてボビン８に導電線が巻回されているコイル部４、ベース５、可動板９、バネ１０、ピン１１等により構成されている。コイル部４は、ベース５にかしめ固定されている。
【００３８】
可動板９とベース５の組み立て状態について、図４（ａ）、図５を用いてさらに詳細に説明すると、可動板９の受部９ｂ、９ｂには、ピン１１が軸支されているとともに、このピン１１の両端部１１ａ、１１ａは、それぞれ第１のワッシャ１４、プッシュナット１５を介して可動板９の受部９ｂ、９ｂから突出した状態で固定されている。さらに、ピン１１の両端部１１ａ、１１ａは、それぞれ第２のワッシャ１６を介してベース５の軸受部５ｂ、５ｂにそれぞれ回動自在に支持されている。従って、可動板９の後端部９ｄ（リブ９ｃが形成されている）の一部分は、ベース５の背面から第１の切欠部５ｃを介して突出した状態となっている。バネ１０の両端は、可動板９のリブ９ｃとベース５のリブ５ｅとに伸縮自在に係止されている。
【００３９】
このように、可動板９の回動箇所がヒンジ構造となっているので、長時間の使用でも、従来のような金属粉が発生することも少なくなり、電磁ソレノイド部３の応答速度が急に遅くなることもない。
【００４０】
このように構成されている電磁ソレノイド部３は、球払出装置１のケース２の内部に配置されるが、この際、取付ボス６に回転自在に支持されている球送り体７の区画爪部７ａ、７ａ・・・が、可動板９の先端部９ｄを係止可能な位置に配置されている（図１（ａ））。
【００４１】
即ち、図１（ａ）に示すように、電磁ソレノイド部３が無通電時（消磁状態）の場合、バネ１０の付勢力は、球送り体７の区画爪部７ａが可動板９の先端に当接して、球送り体７の回転を規制する方向に付勢されているので、球送り体７は回転停止状態となっており、バネ１０は縮んだ状態となっている。
【００４２】
又、図１（ｂ）に示すように、電磁ソレノイド部３が通電時（励磁状態）の場合、可動板９の先端部９ｄは、電磁ソレノイド部３のコイル部４の磁力線によりボビン８側に吸着されるので、球送り体７の区画爪部７ａが、可動板９の先端部９ｄを解放し、球送り体７は回転する。即ち、球送り体７は回転解放状態となり、バネ１０は伸張した状態となっている。
【００４３】
このようにして、電磁ソレノイド部３の可動板９は、電磁ソレノイド部３のコイル部４の消磁・励磁状態に従って、球送り体７を回転停止状態にする停止位置と、球送り体７を回転可能な解放状態にする解放位置とに切り換え動作を行っている。従って、球通路１８内を通過する球１７は、球送り体７の区画爪部７ａ、７ａ・・・により区画された球受部７ｂ、７ｂ・・・に１個ずつ球圧を受けながら回転して排出されるように構成されている。
【００４４】
１９、２０は、それぞれ球通路１８の入路側１８ａ及び球通路１８の排出路側１８ｂのセンサーで、球通路１８を通過する球１７を検出するためのもので、球通路１８の入路側１８ａに配置されているセンサー１９は、球通路１８の入路側１８ａを通過する球１７を検出し、球通路１８の排出路側１８ｂのセンサー２０は、球通路１７の排出路側１８ｂを通過する球１７を検出する。このようにして検出された検出信号は、本願の球払出装置１のケース２外に配設されている制御ユニット（図示せず）に入力し、カウントされる。
【００４５】
なお、第１のワッシャ１４及び第２のワッシャ１６は、いずれもポリスライダー（商品名）等のような表面が円滑な特殊ナイロンで形成されており、ベース５の軸受部５ｂ、５ｂとピン１１を固定している可動板９の受部９ｂ、９ｂとが直接接触することのないように配置されている。
【００４６】
従って、金属同士（ベース５の軸受部５ｂ、５ｂと可動板９の受部９ｂ、９ｂに固定されているプッシュナット１５）が直接接触することがないので、ベース５の軸受部５ｂ、５ｂと可動板９の受部９ｂ、９ｂとは、非常に円滑に回動動作することが出来、従来のような金属同士の摩擦により生じる金属粉が発生することはない。従って、従来のものに比較して、電磁ソレノイド部３の耐用年数を飛躍的に長くすることが出来る。
【００４７】
次に、作用動作について、図１（ａ）〜（ｂ）に基づいて詳細に説明する。
まず、パチンコゲームが休止中あるいは貸球装置（図示せず）も休止中である状態では、電磁ソレノイド部３は、無通電状態である。従って、図１（ａ）に示すように、電磁ソレノイド部３のコイル部４は消磁状態であるから、球送り体７の区画爪部７ａが可動板９の先端部９ｄに当接して球送り体７の回転を規制する方向にバネ１０により付勢されている。従って、球送り体７は回転停止位置に保持され、バネ１０は縮んだ状態となっている。
【００４８】
そこで、パチンコゲームが展開されている途中で入賞球が発生した場合、あるいは貸球装置にコイン（図示せず）が投入されると、本願の球払出装置１を制御する制御ユニットから発信される球払出信号に基づいて、所定数の貯留球（賞球あるいは貸球）が球通路１８の上方に配置されている上球皿（図示せず）側に供給されるとともに、球１７は上球皿から順次球通路１８の入路側１８ａ内に落下する。すると、球払出信号に基づいて、第１のセンサー１９は球送り体７の球受部７ｂに入った最初の球１７を検出するとともに、電磁ソレノイド部３は通電状態となる。
【００４９】
電磁ソレノイド部３のコイル部４が励磁状態となると、発生した磁力線により、図１（ｂ）に示すように、球送り体７の区画爪部７ａにより回転停止状態に保持されていた可動板９が、バネ１０の付勢力に抗してボビン８側に吸着され、可動板９の先端部９ｄがボビン８を打撃した状態で可動板９は停止する。可動板９がこの状態となると、球送り体７は、その回転停止状態から解放され、解放位置に切り変え保持される。
【００５０】
その結果、球送り体７は、球通路１８の入路側１８ａ内の球１７を球受部７ｂに次々と受け入れながら回転し、球１７を球通路１８の排出路側１８ｂに排出する。所定数の貯留球は、センサー１９、２０により入路側１８ａの球１７及び排出路側１８ｂの球１７が、それぞれ検出され、この検出信号は、制御ユニットに入力し、この制御ユニットにおいてカウントされる。所定数の貯留球がすべて排出されると、制御ユニットからの信号に基づいて、電磁ソレノイド部３のコイル部４は消磁状態となる。
電磁ソレノイド部３が無通電状態となると、可動板９は、バネ１０の付勢力により解放位置から停止位置に復帰することにより、球送り体７はその回転を停止する。このようにして、１回分の賞球あるいは貸球の払出動作が終了する。
【００５１】
球払出装置１では、この球払出装置１を制御する制御ユニット（図示せず）から発信される球払出信号に基づいて、賞球あるいは貸球の払出毎に、このような動作が繰り返される。
【実施例２】
【００５２】
この発明の第２の実施例を、図６（ａ）〜（ｂ）、図７（ａ）〜（ｃ）に基づいて詳細に説明する。図６は、本願の球払出装置１の内部構造を示す要部断面図で、（ａ）は電磁ソレノイド部４３の無通電時（消磁状態）における内部構造を示し、（ｂ）は、電磁ソレノイド部４３の通電時（励磁状態）における内部構造を示している。図７（ａ）〜（ｃ）は、本願の球払出装置１の電磁ソレノイド部４３の平面図、側面図、正面図である。なお、第１の実施例と同じ部分については、同一名称、同一番号を用い、その説明を省略する。
【００５３】
実施例１では、図１（ａ）〜（ｂ）、図４（ａ）〜（ｃ）、図５に示すように、可動板９を付勢するバネ１０は、ベース５の背面外側に配置されているが、この実施例２では、図６（ａ）〜（ｂ）、図７（ｂ）に示すように、バネ５０は、のコイル部４４を固定しているベース４５の背面内側に配置されている。なお、第１の実施例と同じ部分については、同一名称、同一番号を用い、その説明を省略する。
【００５４】
図６（ａ）〜（ｂ）、図７（ａ）〜（ｃ）に示すように、バネ５０は、電磁ソレノイド部３のベース４５の背面内側であって、コイル部４とベース４５との間隙４１に配置されている。ベース４５は、実施例１と同様に、肉厚の金属板を略コ字状あるいはＬ字状（この実施例２の場合は、Ｌ字状）に屈曲して形成されており、その開放端が球送り体７に対向する状態となるようにケース２内に配置されており、背面側の側壁の上部両端には、Ｌ字状の第１の切欠部４５ｃを構成する支柱４５ａ、４５ａが形成されている。この支柱４５ａ、４５ａには、可動板４９を回動自在に支持するための軸受部４５ｂ、４５ｂが、互いに対向して形成されている。ベース４５の背面側の側壁内壁面には、バネ５０の一端を係止するためのリブ４５ｅがベース４５の底面に沿ってベース４５の内方向に突設されている。
【００５５】
可動板４９は、実施例１のものと同様に、長さ方向は同じ長さであり、先端部４５ｄの幅が広く、後端部４５ａの幅が狭くなっている２段幅の平板で、後端部４９ａ両端には、略Ｕ字状の受部４９ｂ、４９ｂが互いに対向して立設されており、この受部４９ｂ、４９ｂはベース４５の軸受部４５ｂ、４５ｂに対向配置される。さらに、可動板４９の後端部４９ａ末端から中心線に沿って先端方向へ係止溝４９ｃと係止孔４９ｅとが離間して透設されている。バネ５０の他端は、この係止溝４９ｃと係止孔４９ｅとを狭持するように係止される。
【００５６】
このように構成したので、実施例１のものに比較して、電磁ソレノイド部４３を小型化することが出来るので、球払出装置１のスペース効率が良くなる。さらに、バネ５０が電磁ソレノイド部４３のベース４５内に配置されているので、球払出装置１を組み立てる際、はずれやすかったバネに配慮する必要がないので、実施例１のものに比べて、組み立て作業が非常に容易であり、作業効率が良くなる。
【実施例３】
【００５７】
この発明の第３の実施例を、図８に基づいて詳細に説明する。
図８は、本願の球払出装置５１において、バネ５０をベース４５の内側に配置した形式（実施例２に記載の形式）のもので、通電時における内部構造を示す要部断面図である。なお、第１の実施例と同じ部分については、同一名称、同一番号を用い、その説明を省略する。
【００５８】
図８に示すように、制御ユニットからの球払出信号に基づいて、電磁ソレノイド部４３のコイル部４４が励磁されると、可動板４９の先端部４９ｄは、バネ５０の付勢力に抗して電磁ソレノイド部４３のコイル部４４側に吸着される。この際、可動板４９の先端部４９ｄがボビン４８の縁部を打撃する。そのため、球払出装置５１を長期間使用していると、ボビン４８に振動が加わり、コイル部４４が断線する場合がある。そこで、この実施例３では、可動板４９の先端部４９ｄが直接ボビン４８を打撃しないように、可動版４９のストッパー６０を設けている。このように構成する事により、電磁ソレノイド部４３の耐用年数をさらに長期化するようにしたものである。
【００５９】
図８に示すように、この実施例３の取付ボス５６は、実施例１及び実施例２と同様に、略円筒状の形状であって、ケース５２の壁面から立設されており、取付ボス５６の上面には、爪車状の球送り体７が回転自在に支持される。さらに、取付ボス５６の切欠面５６ａには、電磁ソレノイド部４３のボビン４８の上部外側面に接する断面Ｌ字形のストッパー６０が形成されており、このストッパー６０の先端部６０ａは、ボビン４８の軸方向の高さより高くなるように形成されている。そして、このストッパー６０の先端部６０ａは、電磁ソレノイド４３のボビン４８の周壁近傍に位置するように配置されている。
【００６０】
このように構成したので、電磁ソレノイド部４３のコイル部４４が励磁状態になると、発生した磁力線により、図８に示すように、球送り体７の区画爪部７ａにより回転停止状態に保持されていた可動板４９が、バネ５０の付勢力に抗してボビン４８に吸着される。この際、可動板４９の先端部４９ｄは、ストッパー６０の先端部６０ａを打撃するとともに、可動板４９はストッパー６０の先端部６０ａに当接した状態で停止する。
【００６１】
即ち、ストッパー６０の先端部６０ａが、可動板４９によるボビン４８への打撃を阻止するストッパーとしての作用を果たしている。即ち、可動板４９の先端部４９ｄが、直接ボビン４８を打撃することはない。可動板４９がこの状態になると、球送り体７は、その回転停止状態から解放され、解放位置に切り変え保持される。
【００６２】
その結果、実施例１及び実施例２の場合と同様に、球送り体７は、球通路１８内の球１７を球受部７ｂに受け入れながら回転し、球１７を球通路１８の排出路側１８ｂに排出する。所定数の貯留球がすべて排出されると、可動板４９、バネ５０により解放位置から停止位置に復帰し、その回転を停止する。このようにして、１回分の賞球あるいは貸球の払出動作が終了する。
【実施例４】
【００６３】
この発明の第４の実施例を、図９、図１０に基づいて詳細に説明する。
図９は、この発明の第４の実施例を示すもので、本願の球払出装置７１において、バネをベースの外側に配置した形式（実施例１に記載の形式）のもので、（ａ）は本願の球払出装置の電磁ソレノイド部７３の平面図、（ｂ）は側面図、（ｃ）は正面図、（ｄ）は変形例を示す平面図、（ｅ）はその他の変形例を示す側面図である。図１０は、本願の球払出装置７１の通電時における内部構造を示す要部断面図である。なお、第１の実施例と同じ部分については、同一名称、同一番号を用い、その説明を省略する。
【００６４】
この実施例４では、可動板７９の先端部７９ｄが、バネ８０の付勢力に抗して電磁ソレノイド部７３のコイル部７４側に吸着される際、可動板７９の先端部７９ｄが直接ボビン７８を打撃しないように可動版７９のストッパーを設けている。
【００６５】
球払出装置７１のケース７２内には、回路基板（図示せず）を支持するための支柱（図示せず）やケース２内を仕切るための仕切壁（図示せず）等の突起物７２ａがケース７２面から突設されているが、この実施例４の場合には、可動版７９のストッパーとなる突起物７２ａとしては、その頂部がボビン７８の軸方向の厚みより高い位置にある突起物７２ａが利用されている。
【００６６】
一方、図９、図１０に示すように、可動板７９の先端部７９ｄには、ケース７２に突設されている突起物７２ａに当接する係合部７９ｆが形成されている。従って、この係合部７９ｆと突起物７２ａとは、可動板７９のストッパーとしての役割を果たしている。即ち、電磁ソレノイド部７３が励磁状態になると、可動板７９はバネ８０の付勢力に抗してボビン７８側に吸着されるが、この際、可動板７９の係合部７９ｆは、突起物７２ａを打撃し、ボビン７８にあたることはない。
【００６７】
なお、この実施例４では、図９（ａ）〜（ｃ）に示すように、可動版７９に形成されている係合部７９ｆは、突起物７２ａに向けて可動版７９の先端部７９ｄから１本形成されているが、これに限定されるものではなく、図９（ｄ）に示すように、係合部７９ｇ、７９ｇは、２本でも良い。
【００６８】
又、図９（ｅ）に示すように、可動版７９の係合部７９ｈは、突起物７２ａに向けて上方向に曲線状に屈曲した形状であっても良い。要するに、係合部７９ｆ、７９ｇが突起物７２ａに当接して可動板７９のストッパーとしての役割を果たすことの出来る形状であれば如何なる形状であっても良い。
【００６９】
又、実施例４では、可動版７９のストッパーとしての突起物７２ａは、ケース７２内に突設されている支柱や仕切壁等が利用されているが、これに限定されるものではない。例えば、ケース７２ａ内に、その頂部がボビンの軸方向の高さより高くなるような位置に、新たに突起物を形成し、この突起物を可動版７９のストッパーとして利用しても良い。
【００７０】
図１１は、従来の電磁ソレノイドユニットと本願の球払出装置１の電磁ソレノイド部３の動作回数と応答速度との関係を比較測定した結果を示すもので、横軸は動作回数、縦軸は応答速度を示している。曲線Ａと曲線Ｂは、実施例１に示す電磁ソレノイド部３を用いた場合を示している。なお、曲線Ｃは、従来品を用いた場合を示している。
【００７１】
このグラフからも明らかであるように、電磁ソレノイドの動作回数２０００万回〜１００００万回の場合、本願のものは、動作回数の増加につれて、応答速度は略６．５〜７．５ｍｓｅｃと非常に良い。その上、動作回数の増加による応答速度の変動も少なく、安定的である。一方、従来品は、動作回数の増加につれて、応答速度は略９〜１３．２５ｍｓｅｃと大きく変動し、動作回数の増加につれて応答速度は急激に悪くなる。
【産業上の利用可能性】
【００７２】
パチンコ遊戯機や、その他、パチンコ遊戯機に限らず球を用いた装置の球払出装置に応用することが出来る。
【符号の説明】
【００７３】
１、５１、７１              球払出装置
２、７２                    球払出装置１、７１のケース
７２ａ                      ケース７２の突起物
３、４３、７３              電磁ソレノイド部
４、４４、７４              電磁ソレノイド部３、４３、７３のコイル部
５、４５、７５              電磁ソレノイド部３、４３、７３のベース
５ａ、５ａ、４５ａ、４５ａ  ベース５、４５の切欠部５ｃ、４５ｃを構成する支柱
５ｂ、５ｂ、４５ｂ、４５ｂ  ベース５、４５の軸受部
５ｃ、４５ｃ                ベース５、４５の第１の切欠部
５ｅ、４５ｅ                ベース５、４５のリブ
５ｆ                        ベース５の第２の切欠部
６、５６                    球払出装置１、５１の取付ボス
５６ａ                      取付ボス５６の切欠面
７                          球送り体
８、４８、７８                    電磁ソレノイド部３、４３、７３のボビン
９、４９、７９              電磁ソレノイド部３、４３、７３の可動板
９ａ、４９ａ                可動板９、４９ａの後端部
９ｂ、９ｂ、４９ｂ、４９ｂ  可動板９、４９ｂの受部
９ｃ、７９ｃ                可動板９、７９のリブ
９ｄ、４９ｄ、７９ｄ        可動板９、４９、７９の先端部
４９ｃ                      可動板４９の係止溝
４９ｅ                      可動板４９の係止孔
７９ｆ、７９ｇ、７９ｈ      可動板７９の係合部
１０、５０、８０            電磁ソレノイド部３、４３、７３のバネ
１１                        ピン
１４                        第１のワッシャ
１７                        球（貸球、賞球）
１８                        球通路
１８ａ                      球通路１８の入路側
１８ｂ                      球通路１８の排出路側
１９                        球通路８の入路側のセンサー
２０                        球通路８の排出路側のセンサー
４１                        ベース４５とコイル部４４との間隙
６０                        ストッパー
６０ａ                      ストッパー６０の先端部
【図１】
2014144176.tif 000003
【図２】
2014144176.tif 000004
【図３】
2014144176.tif 000005
【図４】
2014144176.tif 000006
【図５】
2014144176.tif 000007
【図６】
2014144176.tif 000008
【図７】
2014144176.tif 000009
【図８】
2014144176.tif 000010
【図９】
2014144176.tif 000011
【図１０】
2014144176.tif 000012
【図１１】
2014144176.tif 000013
【図１２】
2014144176.tif 000014
【図１３】
2014144176.tif 000015